(57)【要約】【課題】土踏まずのアーチ構造を適切な形に矯正するインソールを提供する。【解決手段】履物に中敷きとして挿入するインソールであって、足の裏面の土踏まずの位置を位置決めできる位置決め部１０を備え、この位置決め部１０には、実際の土踏まずの高さよりも高い、矯正土踏まず高さに土踏まずを調節できる土踏まず高さ調節機構１１を有する、インソール１００。【選択図】図２
2020103572.tif 000002
【特許請求の範囲】
【請求項１】
履物に中敷きとして挿入するインソールであって、
足の裏面の土踏まずの位置を位置決めできる位置決め部を備え、
前記位置決め部には、実際の土踏まずの高さよりも高い、矯正土踏まず高さに土踏まずを調節できる土踏まず高さ調節機構を有する、インソール。
【請求項２】
足の裏面の平面形状のうち、少なくとも土踏まずの部分を転写して可視化する土踏まず決定手段を備える、請求項１に記載のインソール。
【請求項３】
前記土踏まず決定手段は、起毛された毛を表面に有する表面層を備えるシート体であり、
前記位置決め部の位置は、足の裏を前記インソール上に載せた際に、起毛したままの状態が維持されている箇所である、請求項２に記載のインソール。
【請求項４】
前記土踏まず決定手段は、足の裏を載せた後、所定時間変色した状態となる変色シートである、請求項２に記載のインソール。
【請求項５】
前記変色シートが、接触した足の温度により変色するものである、請求項４に記載のインソール。
【請求項６】
前記変色シートが、水分の付着により変色する、請求項４に記載のインソール。
【請求項７】
前記土踏まず高さ調節機構は、インソールの厚み方向に沿って脱着可能な土踏まず支持部を有する、請求項１〜６のいずれか一項に記載のインソール。
【請求項８】
前記土踏まず支持部は、ピンからなる、請求項７に記載のインソール。
【請求項９】
前記土踏まず支持部は、温度変形する材料からなるものである、請求項７に記載のインソール。
【請求項１０】
前記土踏まず支持部は、バネ材料からなるものである、請求項７に記載のインソール。
【請求項１１】
足の裏面の土踏まずの位置を位置決めできる位置決め部を備え、
前記位置決め部には、実際の土踏まずの高さよりも高い、矯正土踏まず高さに土踏まずを調節できる土踏まず高さ調節機構を有する、履物。
【発明の詳細な説明】
【技術分野】
【０００１】
本発明は、インソール及び履物に関する。更に詳しくは、土踏まずのアーチ構造を適切な形に矯正するインソール及び履物に関する。
【背景技術】
【０００２】
従来、履物の中敷き（インソール）は、長時間の立ち仕事をしても足が疲れ難いといった機能、或いは、足裏の壺（ツボ）を刺激して血行を良くするといった機能などの様々な機能を有するものが知られている（特許文献１，２参照）。例えば、特許文献１には、足裏の形状にフィットし、長時間の立ち仕事などによる疲れを軽減するためのインソールが開示されている。また、特許文献２には、歩行中にその使用者の体重によって足裏の壷（ツボ）を押圧することができるインソールが知られている。
【０００３】
特許文献１には、エラストマーを素材とする本体部を有し、この本体部の弾性係数が所定の範囲を満たす中敷き（インソール）が記載されている。
【０００４】
特許文献２には、中敷の表面全面に平面ファスナーを貼付け、この平面ファスナーのつぼ位置の複数個所に大小の突子を、移動及び交換自在に咬合わせて取付ける中敷（インソール）が記載されている。
【先行技術文献】
【特許文献】
【０００５】
【特許文献１】特開２０１７−２３６１０号公報
【特許文献２】特開２００１−２０６号公報
【発明の概要】
【発明が解決しようとする課題】
【０００６】
このように、足の裏を様々な観点から保護し、疲労や痛みなど使用者が不快に感じる状態を取り除くためのインソールや、足の裏を刺激して健康促進を図るためのインソールなどの開発がなされている。
【０００７】
ここで、足にはアーチ構造があり、この足のアーチ構造がバネのように作用することで足首、膝、股関節、更には、腰などに掛かる衝撃を緩和することになる。そのため、足のアーチ構造が十分に機能しないと、歩行に支障が生じたり、体を支えバランスを保つ機能が損なわれたりする。更に、足首、膝、股関節、腰等に過剰な力が加わり、疲労が溜まることになる。
【０００８】
足のアーチ構造には、内側縦アーチ、外側縦アーチ、及び、横アーチの３つのアーチがあり、足のアーチ構造が十分に機能しない状態というのは、これらのアーチが十分に描かれずにアーチが落ち込んでいる状態である。このような状態として、偏平足、開張足などが挙げられる。なお、偏平足は、３つのアーチのうち、特に内側縦アーチが落ち込んでしまい、衝撃を緩和する機能が弱まった状態の足が相当する。また、開張足は、横アーチが落ち込んでいる状態の足が相当する。
【０００９】
アーチが十分に描かれずにアーチが落ち込んでいる状態は、加齢、運動不足などによって徐々に生じることが知られている。また、生まれながらにしてアーチが十分に描かれていない状態である場合もある。
【００１０】
このように、加齢などが原因で足のアーチ構造が十分に機能しない状態となり得るため、老若男女問わずに、足のアーチ構造が十分に機能しないことに起因して歩行支障などが生じる場合がある。つまり、万人に生じ得る問題であるため、アーチが十分に描かれずに落ち込んでアーチ構造を描けなくなった土踏まずを、個々の理想的な足裏に適した形状（アーチが十分に描かれたアーチ構造を有する土踏まずの形状）に回復させることが重要となっている。更には、十分なアーチ構造を有する土踏まずとなるように、個々の足のアーチ構造を適した形状となるように改善させること（すなわち、使用者ごとに理想的なアーチ構造が異なるが、それぞれに合った土踏まずの形状となるように、その形状を向上させること）が重要となっている。このような「回復させる」こと或いは「改善させる」ことを、本明細書では「矯正する」という。
【００１１】
このような問題に対して、特許文献１，２に記載のインソールでは、十分に対応することができない状況であった。具体的には、特許文献１の中敷きは、所定の材料を採用することによって、インソールが使用者の土踏まずに軽く当たった状態となり、足裏に対するインソールのフィット感が良くなるため、疲れなどを緩和するものである。しかし、特許文献１の中敷きでは、アーチが落ち込んだ状態の実際の足裏の形状にフィットさせたとしても、足のアーチ構造を回復させることは困難である。更に、足のアーチ構造を個々の足に適した形状に改善することもできない。そのため、特許文献１の中敷きは、足のアーチ構造を回復させる機能、更には、アーチ構造を改善する機能を有するものではない。
【００１２】
特許文献２に記載の指圧用中敷は、指圧用の突子が指圧に必要な所定の部分（つまり、足裏の壷）を押圧することで、青竹踏みに相当する押圧刺激を与えることができる。しかし、特許文献２に記載の指圧用中敷では、単にツボを圧迫するだけであり、これでは足のアーチ構造を回復させることは困難であり、到底、アーチ構造を改善することはできない。そのため、特許文献２に記載の指圧用中敷は、足のアーチ構造を回復させる機能、更には、アーチ構造を改善する機能を有するものではない。
【００１３】
特許文献１，２のように、インソールには、様々な機能を有するものが知られているが、上記の通り足のアーチ構造を回復させることを目的としたインソール、更には、アーチ構造を改善することを目的としたインソールは知られていない。そこで、十分なアーチ構造を描けなくなった土踏まずを、理想的な形状となるように回復させ、更には、改善する、すなわち矯正することができるインソール及び履物の開発が切望されていた。
【００１４】
本発明は、このような従来技術の有する問題点に鑑みてなされたものであり、その課題とするところは、アーチが落ち込んだ状態の実際の足の位置及び形状（平面形状）を精度良く把握し、その実際の足の状態に基づいて、これよりも少し高くに土踏まずを押し上げるような位置決め部を設けることによって、土踏まずのアーチ構造を適切な形に次第に回復させ、更には、改善する、すなわち矯正するインソール及び履物を提供することにある。
【課題を解決するための手段】
【００１５】
本発明によれば、以下に示す、インソール及び履物が提供される。
【００１６】
［１］  履物に中敷きとして挿入するインソールであって、
足の裏面の土踏まずの位置を位置決めできる位置決め部を備え、
前記位置決め部には、実際の土踏まずの高さよりも高い、矯正土踏まず高さに土踏まずを調節できる土踏まず高さ調節機構を有する、インソール。
【００１７】
［２］  足の裏面の平面形状のうち、少なくとも土踏まずの部分を転写して可視化する土踏まず決定手段を備える、前記［１］に記載のインソール。
【００１８】
［３］  前記土踏まず決定手段は、起毛された毛を表面に有する表面層を備えるシート体であり、
前記位置決め部の位置は、足の裏を前記インソール上に載せた際に、起毛したままの状態が維持されている箇所である、前記［２］に記載のインソール。
【００１９】
［４］  前記土踏まず決定手段は、足の裏を載せた後、所定時間変色した状態となる変色シートである、前記［２］に記載のインソール。
【００２０】
［５］  前記変色シートが、接触した足の温度により変色するものである、前記［４］に記載のインソール。
【００２１】
［６］  前記変色シートが、水分の付着により変色する、前記［４］に記載のインソール。
【００２２】
［７］  前記土踏まず高さ調節機構は、インソールの厚み方向に沿って脱着可能な土踏まず支持部を有する、前記［１］〜［６］のいずれかに記載のインソール。
【００２３】
［８］  前記土踏まず支持部は、ピンからなる、前記［７］に記載のインソール。
【００２４】
［９］  前記土踏まず支持部は、温度変形する材料からなるものである、前記［７］に記載のインソール。
【００２５】
［１０］  前記土踏まず支持部は、バネ材料からなるものである、前記［７］に記載のインソール。
【００２６】
［１１］  足の裏面の土踏まずの位置を位置決めできる位置決め部を備え、
前記位置決め部には、実際の土踏まずの高さよりも高い、矯正土踏まず高さに土踏まずを調節できる土踏まず高さ調節機構を有する、履物。
【発明の効果】
【００２７】
本発明のインソール及び本発明の履物は、位置決め部を備えることによって、土踏まずのアーチ構造を適切な形に矯正できる。
【図面の簡単な説明】
【００２８】
【図１】本発明のインソールの一の実施形態を模式的に示す平面図である。
【図２】本発明のインソールの一の実施形態を模式的に示す側面図である。
【図３】本発明のインソールの他の実施形態を模式的に示す側面図である。
【図４】本発明のインソールにおけるインソール本体の一の実施形態を模式的に示す平面図である。
【図５】位置決めを行う際の状態を模式的に示す説明図である。
【図６】使用者の足裏の形状（特に土踏まずの平面形状）が転写された状態を模式的に示す説明図である。
【図７】踏まず高さ調節機構を配置する状態を模式的に示す説明図である。
【図８】本発明のインソールの更に他の実施形態を模式的に示す平面図である。
【図９】図８に示すインソールにカバー部材を配置した状態を模式的に示す側面図である。
【図１０】本発明のインソールの更に他の実施形態を模式的に示す平面図である。
【図１１】本発明のインソールを備える履物の一の実施形態を模式的に示す一部断面図である。
【図１２】本発明の履物の一の実施形態を模式的に示す一部断面図である。
【発明を実施するための形態】
【００２９】
以下、本発明の実施の形態について説明するが、本発明は以下の実施の形態に限定されるものではなく、本発明の趣旨を逸脱しない範囲で、当業者の通常の知識に基づいて、以下の実施の形態に対し適宜変更、改良等が加えられたものも本発明の範囲に入ることが理解されるべきである。
【００３０】
［１］インソール：
本発明のインソールの一の実施形態は、図１，図２に示すインソール１００である。インソール１００は、履物に中敷きとして挿入するインソールであって、足の裏面の土踏まずの位置を位置決めできる位置決め部１０を備え、この位置決め部１０には、実際の土踏まずの高さよりも高い、矯正土踏まず高さに土踏まずを調節できる土踏まず高さ調節機構１１を有している。
【００３１】
このようなインソール１００は、位置決め部１０が適切な位置及び形状（平面形状）で配置されているため、この位置決め部１０によって土踏まずを下方から押し上げ、土踏まずのアーチ構造を回復させ、更には改善することができる（即ち、土踏まずのアーチ構造を適切な形に矯正することができる）。別言すれば、位置決め部１０によって土踏まずのアーチ構造を適切な形に次第に回復させ、更には改善する（矯正する）のであるが、これには、位置決め部１０を適切な位置に配置し、更にその形状（平面形状）を適切なものとすることが重要となる。そのために、アーチが落ち込んだ状態の実際の足の位置（足裏における前後左右方向の位置）及び形状（平面形状）を具体的に精度良く把握し、その実際の足の土踏まずの情報に基づいて、位置決め部１０を形成するとともに、位置決め部１０の高さを、実際の土踏まずの高さよりも少し高くに（強い痛みを感じない程度の高さに）押し上げる。なお、土踏まずのアーチ構造の「適切な形」は、各使用者の足裏の状態で異なるが、実際の土踏まずの状態を基準として、個々の理想的な土踏まずの状態に近い形をいう。
【００３２】
使用者は、インソール１００を使用中に位置決め部１０によって土踏まずを下方から押し上げられるため、次第に土踏まずのアーチ構造が適切な形に矯正されることになる。
【００３３】
ここで、「矯正土踏まず高さ」は、実際の土踏まずの高さよりも高い位置（高さ）のことであり、強い痛みを感じない程度の高さのことである。このような「矯正土踏まず高さ」に調節するのは、例えば、偏平足の場合、理想とするアーチ構造とは大きく差異が有ることが考えられ、この場合、一度に（急に）理想とするアーチ構造となるように位置決め部１０の高さを設定してしまうと、使用者が感じる痛みが強くなり過ぎてしまう。
【００３４】
なお、本発明のインソールは、少なくとも土踏まずの領域を覆うことができる大きさを有するものであればよく、足の裏を全体的に覆うことができるもの（具体的には、足のつま先部分から足の踵までを覆っているもの）が好ましい。
【００３５】
また、本明細書において「履物」には、靴、サンダル等が広く含まれる。
【００３６】
［１−１］位置決め部：
位置決め部１０は、土踏まずのアーチ構造のアーチを矯正するためのものであり、使用者の土踏まずの形状（平面形状）を精度良く反映し、更に、土踏まずの位置（足裏における前後左右方向の位置）に精度良く配置されたものである。
【００３７】
位置決め部１０の位置及び形状（平面形状）は、土踏まず決定手段１５によって決めることができる。この土踏まず決定手段１５は、足の裏面の平面形状のうち、少なくとも土踏まずの部分（領域）を転写して可視化するものであり、インソール本体２０（インソール１００）の最表面に配置され、使用者の足の裏と直接接するものである。この土踏まず決定手段１５によって、使用者は、自分の足の裏の凹凸状態（即ち、特に土踏まずの位置及び形状）を平面的に可視化することができる（即ち、使用者の足裏における土踏まずの位置及び形状を正確に把握することができる）。その結果、良好に位置決め部１０を形成することができる。上述の通りであるが、土踏まず決定手段１５によれば、少なくとも土踏まずの位置及び平面形状が分かる状態で使用者の足形を簡単にとることができ、この足形に基づいて位置決め部１０を良好に形成することができる。
【００３８】
なお、土踏まず決定手段１５は、少なくとも土踏まずの領域（土踏まずに該当する部分）を覆うことができる大きさを有するものであればよく、足の裏を全体的に覆うことができるもの（具体的には、足のつま先部分から足の踵までを覆っているもの）であってもよい。図１には、土踏まずの領域を覆うことができる大きさである土踏まず決定手段１５を示している。
【００３９】
土踏まず決定手段１５としては、例えば、複数の起毛を有する表面層（即ち、起毛された毛を表面に有する表面層）を備えるシート体、変色シート、外力により力が加わった部分の形状が変化する樹脂（樹脂シートなど）などを挙げることができる。
【００４０】
複数の起毛を有する表面層を備えるシート体（起毛シート体）としては、具体的には、表面層にフロック加工（植毛加工）が施され、短い繊維が植え付けられたものなどを挙げることができる。この起毛シート体は、表面層に複数の細かい起毛が形成されているものであり、この起毛は外圧によって倒れるものである。このような起毛シート体を用いると、使用者がインソール本体に足を載せた場合（即ち、足で踏むと）、足で踏まれた部分の起毛が倒れ、踏まれなかった部分の起毛は凸状のままとなる。土踏まずは、この起毛シート体に触れることがないため、凸状のままで起毛が存在する領域が土踏まずに該当することが分かる。このようにして足の裏における土踏まずの位置及び平面形状（土踏まずの輪郭）を正確に認識することができる。
【００４１】
変色シートとしては、足の裏を載せた後、所定時間変色した状態となるものを挙げることができる。例えば、温度（足裏の体温）によって変色するシート（感温シート）、水分（足裏の汗など）の付着によって変色するシート（感湿シート）、圧力を受けると変色するシート（感圧シート）などを挙げることができる。
【００４２】
感温シートとしては、特に制限はないが、具体的には、その表面に特定の温度で変色する塗料（インク）からなる変色膜を備えるシートなどを挙げることができる。
【００４３】
感湿シートとしては、特に制限はないが、具体的には、感水紙（感水試験紙）などを挙げることができる。
【００４４】
「外力により力が加わった部分の形状が変化する樹脂」としては、特に制限はないが、具体的には、外力により塑性変形する樹脂からなる樹脂層を備える樹脂シートなどを挙げることができる。なお、上記樹脂は、形状が変化した後に元の形状に戻らない性質のものであってもよいし、形状が変化した後に元の形状に戻る性質のものであってもよい。元の形状に戻る性質のものである場合、元の形状に戻るまでの時間は、特に制限はなく、例えば、位置決め部１０を作製できる程度の時間（例えば、１分以上）であればよい。
【００４５】
［１−１ａ］土踏まず高さ調節機構：
土踏まず高さ調節機構１１は、位置決め部１０の高さを調節するものである。そして、この土踏まず高さ調節機構１１によって、土踏まずを下方から押し上げる程度を適宜調整することができ、使用状態において土踏まずを下方から押し上げつつも、例えば使用者が強い痛みを感じない程度とすることができる。このように、土踏まず高さ調節機構１１によって位置決め部１０を、実際の土踏まずの高さよりも少し高く設定することで、土踏まずのアーチ構造を適切な形に矯正していくことができる。
【００４６】
土踏まず高さ調節機構１１は、インソール１００の厚み方向に沿って脱着可能な土踏まず支持部２１を有することできる。この土踏まず支持部２１としては、例えば、図７に示すようなピン（棒状体）２３、温度変形する材料からなるもの、バネ材料からなるものなどを挙げることができる。なお、ピン２３の場合、穴部２４の開口径は、ピン２３の外径よりも小さくすることができ、このようにすると、ピン２３を穴部２４に挿入した後にピン２３の高さ方向の位置がずれてしまうことを防止できる。また、ピン２３を用いる場合、このピン２３を穴部２４に挿入する態様ではなく、穴部２４が形成されていないインソール本体２０に突き刺すようにしてもよい。
【００４７】
ピン２３は、その形状について特に制限はなく、例えば、円柱状、多角柱状などのものとすることができる。
【００４８】
ピン２３の材料は、特に制限はなく、例えば、柔軟性のある部材（例えば、ウレタンなどの合成樹脂、シリコーン、ゴム等）、剛性のある部材（例えば、金属、木材など）などを挙げることができる。
【００４９】
ピン２３は、同じ長さ（高さ）のものだけでもよいし、様々な長さ（高さ）のものを用意することもできる。様々な長さのものを用意することで、土踏まずの高さ調節をより行い易くなる。
【００５０】
なお、インソール本体２０には、図４，図１０に示すように、その表面に開口２６が形成された複数の穴部２４を有することによって、この穴部２４に土踏まず支持部２１を配置することができる。穴部２４の数や大きさ（開口径）は、適宜決定することができる。また、穴部２４は、インソール本体２０を貫通したものであってもよいし、貫通していないものであってもよい。
【００５１】
「温度変形する材料からなるもの」としては、例えばピンと同様な柱状の形状とすることができ、その軸方向の長さが温度（例えば、体温）によって延びる材料からなるものを挙げることができる。このようなものを採用すると、使用者がインソールを使用した際に使用者の体温で土踏まず支持部が所定の長さまで延びるため、使用者の足裏に適度な圧力を与えることができる。なお、「温度変形する材料からなるもの」の形状は、ピンと同様な柱状の形状に限らず適宜決定することができる。
【００５２】
「バネ材料からなるもの」としては、例えばピンと同様な柱状の形状とすることができ、その軸方向に広がるようにバネの力が働くものを挙げることができる。このようなものを採用すると、使用者がインソールを使用した際に土踏まず支持部のバネの力で使用者の足裏に適度な圧力を与えることができる。なお、「バネ材料からなるもの」の形状は、ピンと同様な柱状の形状に限らず適宜決定することができる。
【００５３】
［１−２］カバー部材：
本発明のインソールは、図３に示すインソール１０１のように、位置決め部１０を覆うシート状のカバー部材３０を更に備えることができる。カバー部材３０を更に備えることによって、使用者の足の裏に直接に位置決め部１０が触れることを避けることができるため、使用者の足の裏に直接に位置決め部１０が触れることに起因して使用者が痛みを感じることを防止できる。
【００５４】
カバー部材３０には、複数の穴が形成されていることでもよい。この穴を形成することによって、当該穴をインソール本体２０に配置されたピン２３と嵌め合わせることができ、カバー部材３０をインソール本体２０に固定することができる。
【００５５】
カバー部材３０の材質は、カバー部材３０が使用者の足裏と直接接するため、柔軟性を有する材料からなるものなどを用いることができる。
【００５６】
カバー部材３０は、少なくとも位置決め部１０を覆うことができる大きさを有するものであればよく、図３に示すように足の裏を全体的に覆うことができるもの（具体的には、足のつま先部分から足の踵までを覆っているもの）が好ましい。
【００５７】
［１−３］：凸部配置手段：
本発明のインソールは、図８に示すインソール１０２のように、位置決め部１０以外に、インソール本体２０の表面上に更に凸部配置手段４０を更に備えていてもよい。この凸部配置手段４０は、使用者が必要に応じて所望の位置に配置するものであり、例えば、指の付け根部分、踵付近に配置することができる。ここで、凸部配置手段４０を指の付け根部分に配置すると、足の指がインソールを掴む状態となるため、使用中にインソールがずれてしまうことを防止することができる。また、凸部配置手段４０を踵付近に配置すると、使用中に使用者の足がインソールの前後に移動してしまうことを防止し、これによってインソールがずれてしまうことを良好に防止することができる。
【００５８】
凸部配置手段４０は、上述した土踏まず支持部２１と同様のものを適宜採用することができる。具体的には、上述したピン２３などを挙げることができる。
【００５９】
図８，図９は、指の付け根部分及び踵付近にそれぞれ凸部配置手段４０が配置されたインソール１０２を示している。凸部配置手段４０の位置は、使用者が適宜選択することができる。なお、図８は、カバー部材を省略して描いており、図９は、図８に示すインソール１０２を側面からみた側面図である。
【００６０】
［１−４］：インソール本体：
図１０は、本発明のインソールが備えるインソール本体の他の態様を示している。図１０に示すインソール本体２０は、底面４２の表面全体に穴部２４が形成されている。即ち、図１０に示すインソール本体２０は、土踏まず決定手段１５の領域以外にも穴部２４が形成されており、このような構成を採用することによって、凸部配置手段４０をより自由に配置することができ、使用者の足裏により適したインソールを作製することができる。なお、インソール本体２０は、位置決め部１０が配置されていない状態のインソールのことを言う。
【００６１】
［２］インソールの使用方法：
インソールを履物に装着する前に、まず、図４に示すようなインソール本体２０を用意し、図５に示すようにこのインソール本体２０の上に使用者５０の足裏を合せる。このとき、インソール本体２０の表面上の少なくとも一部には、土踏まず決定手段１５が配置されており、土踏まずの位置及び形状を写し取る（転写して可視化する）ことができる（図６参照）。ここで、使用者５０の土踏まずは、土踏まず決定手段１５に接していないことになる。別言すれば、インソール本体２０上に土踏まずが位置する領域（土踏まず領域６０）を得ることができる。
【００６２】
その後、写し取られた土踏まずの位置及び形状（即ち、土踏まず領域６０）に合わせて土踏まず高さ調節機構１１（図６，図７では、ピン２３と穴部２４）によって位置決め部１０を形成する。この土踏まず高さ調節機構１１は、使用者の実際の土踏まずの高さよりも高い「矯正土踏まず高さ」に土踏まずを調節するものである。
【００６３】
より具体的には、土踏まず高さ調節機構１１が、インソール１００の厚み方向に沿って脱着可能なピン２３（図１等参照）からなる「土踏まず支持部２１」を有する場合、ピン２３を、インソール本体２０の表面に複数の開口２６が形成された穴部２４に挿入し、高さを調節する。このピン２３は、写し取られた土踏まずの位置及び形状に合わせて配置される（図１参照）。ここで、ピン２３の高さは、使用者の実際の土踏まずの高さよりも高くし（矯正土踏まず高さとし）、土踏まずのアーチ構造を矯正するように土踏まずを下方から押し上げる。なお、土踏まずを下方から押し上げる程度は、適宜調整することができ、土踏まずを下方から押し上げつつも、例えば使用者が強い痛みを感じない程度とすることができる。このようにして、足の裏面の土踏まずの位置を決定する位置決め部１０を形成する。
【００６４】
以上のようにして位置決め部１０を形成したインソール１００には、適宜、カバー部材３０を配置することができる（例えば、図３参照）。その後、履物（履物２００等）にインソール１００を装着し、履物を履くことができる。
【００６５】
なお、図８に示すように、土踏まずに相当する位置以外（例えば、踵付近や指の付け根部分など）には、凸部配置手段４０（例えば、上述のピン２３）を配置することができる。このようにすることで、使用中にインソールがずれてしまうことを防止でき、良好に土踏まずのアーチ構造を矯正することができる。
【００６６】
［３］インソールを備える履物：
図１１には、本発明のインソールを備える履物２００を示す。この履物２００は、これまで説明してきた本発明のインソール（インソール１００など）を収納する履物である。この履物２００は、従来公知の履物を適宜採用することができ、この従来公知の履物のインソールに替えて採用することができる。図１１は、本発明のインソールを備える履物の一の実施形態を模式的に示す一部断面図である。
【００６７】
［４］履物：
本発明の履物の一実施形態は、図１２に示す履物２０１である。この履物２０１は、具体的にはサンダルである。この履物２０１は、足の裏面の土踏まずの位置を位置決めできる位置決め部１０を備え、この位置決め部１０には、実際の土踏まずの高さよりも高い、矯正土踏まず高さに土踏まずを調節できる土踏まず高さ調節機構１１を有している。
【００６８】
このように構成された履物は、土踏まずのアーチ構造を適切な形に回復させ、更には改善させる（すなわち、矯正する）ことができる。
【００６９】
履物２０１は、底部２１０と、被覆部２１１とを備え、底部２１０の表面上に位置決め部１０が配置されている。更に、履物２０１は、位置決め部１０を覆うようにカバー部材３０が配置されている。そして、履物２０１は、踵付近と指の付け根に該当する部分に、ピン２３からなる凸部配置手段４０が配置されている。この履物２０１は、被覆部２１１が開き、底部２１０の表面が露出するようになっているため、使用者が土踏まずの位置決めをする作業や土踏まず支持部２１（ピン２３）を配置する作業の妨げとならないようになっている。
【００７０】
履物２０１は、以下のように位置決め部１０を形成した後、使用することができる。その使用手順としては、即ち、まず、土踏まず支持部２１が配置される前の履物２０１の被覆部２１１を開き、底部２１０の表面を露出させる。その後、底部２１０の表面に使用者の足を置き、使用者の土踏まずの位置及び形状（平面形状）を土踏まず決定手段１５に写し取る（転写して可視化する）。その後、写し取られた土踏まずの位置及び形状に合わせて土踏まず支持部２１（例えば、ピン２３など）を配置する（図１２参照）。位置決め部１０の高さは、実際の土踏まずの高さよりも高い位置とする。具体的には、実際の土踏まずの高さよりも少し高い位置であり、使用者が強い痛みを感じない程度の高さとする。その後、ピン２３からなる凸部配置手段４０を所定の位置（土踏まず領域６０（図６参照））に配置し、更に、カバー部材３０を配置した後、被覆部２１１を閉じる。このような状態で使用者は使用することができる。
【産業上の利用可能性】
【００７１】
本発明のインソールは、履物の中敷きとして利用することができる。本発明の履物は、靴やサンダルなどである。
【符号の説明】
【００７２】
１０：位置決め部、１１：土踏まず高さ調節機構、１５：土踏まず決定手段、２０：インソール本体、２１：土踏まず支持部、２３：ピン、２４：穴部、２６：開口、３０：カバー部材、４０：凸部配置手段、４２：底面、５０：使用者、６０：土踏まず領域、１００，１０１，１０２：インソール、２００，２０１：履物、２１０：底部、２１１：被覆部。
【図１】
2020103572.tif 000003
【図２】
2020103572.tif 000004
【図３】
2020103572.tif 000005
【図４】
2020103572.tif 000006
【図５】
2020103572.tif 000007
【図６】
2020103572.tif 000008
【図７】
2020103572.tif 000009
【図８】
2020103572.tif 000010
【図９】
2020103572.tif 000011
【図１０】
2020103572.tif 000012
【図１１】
2020103572.tif 000013
【図１２】
2020103572.tif 000014
【手続補正書】
【提出日】令和1年10月16日(2019.10.16)
【手続補正１】
【補正対象書類名】特許請求の範囲
【補正対象項目名】全文
【補正方法】変更
【補正の内容】
【特許請求の範囲】
【請求項１】
履物に中敷きとして挿入するインソールであって、
足の裏面の土踏まずの位置を位置決めできる位置決め部を備え、
前記位置決め部には、実際の土踏まずの高さよりも高い、矯正土踏まず高さに土踏まずを調節できる土踏まず高さ調節機構を有し、
前記土踏まず高さ調節機構は、前記インソールの厚み方向に沿って脱着可能な土踏まず支持部を有し、
前記土踏まず支持部は、複数のピンからなり、
前記インソールの表面に開口が形成された複数の穴部を有し、
前記穴部に、前記ピンを挿入し、当該ピンの高さを調節する、インソール。
【請求項２】
足の裏面の平面形状のうち、少なくとも土踏まずの部分を転写して可視化する土踏まず決定手段を備える、請求項１に記載のインソール。
【請求項３】
前記土踏まず決定手段は、起毛された毛を表面に有する表面層を備えるシート体であり、
前記位置決め部の位置は、足の裏を前記インソール上に載せた際に、起毛したままの状態が維持されている箇所である、請求項２に記載のインソール。
【請求項４】
前記土踏まず決定手段は、足の裏を載せた後、所定時間変色した状態となる変色シートである、請求項２に記載のインソール。
【請求項５】
前記変色シートが、接触した足の温度により変色するものである、請求項４に記載のインソール。
【請求項６】
前記変色シートが、水分の付着により変色する、請求項４に記載のインソール。
【請求項７】
足の裏面の土踏まずの位置を位置決めできる位置決め部を備え、
前記位置決め部には、実際の土踏まずの高さよりも高い、矯正土踏まず高さに土踏まずを調節できる土踏まず高さ調節機構を有し、
前記土踏まず高さ調節機構は、複数のピンからなる土踏まず支持部を有し、
表面に開口が形成された複数の穴部を有し、
前記穴部に、前記ピンを挿入し、当該ピンの高さを調節する、履物。
【手続補正２】
【補正対象書類名】明細書
【補正対象項目名】００１６
【補正方法】変更
【補正の内容】
【００１６】
［１］  履物に中敷きとして挿入するインソールであって、
足の裏面の土踏まずの位置を位置決めできる位置決め部を備え、
前記位置決め部には、実際の土踏まずの高さよりも高い、矯正土踏まず高さに土踏まずを調節できる土踏まず高さ調節機構を有し、
前記土踏まず高さ調節機構は、前記インソールの厚み方向に沿って脱着可能な土踏まず支持部を有し、
前記土踏まず支持部は、複数のピンからなり、
前記インソールの表面に開口が形成された複数の穴部を有し、
前記穴部に、前記ピンを挿入し、当該ピンの高さを調節する、インソール。
【手続補正３】
【補正対象書類名】明細書
【補正対象項目名】００２２
【補正方法】削除
【補正の内容】
【手続補正４】
【補正対象書類名】明細書
【補正対象項目名】００２３
【補正方法】削除
【補正の内容】
【手続補正５】
【補正対象書類名】明細書
【補正対象項目名】００２４
【補正方法】削除
【補正の内容】
【手続補正６】
【補正対象書類名】明細書
【補正対象項目名】００２５
【補正方法】削除
【補正の内容】
【手続補正７】
【補正対象書類名】明細書
【補正対象項目名】００２６
【補正方法】変更
【補正の内容】
【００２６】
［７］  足の裏面の土踏まずの位置を位置決めできる位置決め部を備え、
前記位置決め部には、実際の土踏まずの高さよりも高い、矯正土踏まず高さに土踏まずを調節できる土踏まず高さ調節機構を有し、
前記土踏まず高さ調節機構は、複数のピンからなる土踏まず支持部を有し、
表面に開口が形成された複数の穴部を有し、
前記穴部に、前記ピンを挿入し、当該ピンの高さを調節する、履物。
【手続補正書】
【提出日】令和2年1月29日(2020.1.29)
【手続補正１】
【補正対象書類名】特許請求の範囲
【補正対象項目名】全文
【補正方法】変更
【補正の内容】
【特許請求の範囲】
【請求項１】
履物に中敷きとして挿入するインソールであって、
足の裏面の土踏まずの位置を位置決めできる位置決め部を備え、
前記位置決め部には、実際の土踏まずの高さよりも高い、矯正土踏まず高さに土踏まずを調節できる土踏まず高さ調節機構を有し、
前記土踏まず高さ調節機構は、前記インソールの厚み方向に沿って脱着可能な土踏まず支持部を有し、
前記土踏まず支持部は、複数のピンからなり、
前記インソールの表面に開口が形成された複数の穴部を有し、
前記穴部に、前記ピンを挿入し、当該ピンの高さを調節する、インソールであり、
当該インソールの最表面には、足の裏面の平面形状のうち、少なくとも土踏まずの部分を、直接転写して可視化する土踏まず決定手段を備える、インソール。
【請求項２】
前記土踏まず決定手段は、起毛された毛を表面に有する表面層を備えるシート体であり、
前記位置決め部の位置は、足の裏を前記インソール上に載せた際に、起毛したままの状態が維持されている箇所である、請求項１に記載のインソール。
【請求項３】
前記土踏まず決定手段は、足の裏を載せた後、所定時間変色した状態となる変色シートである、請求項１に記載のインソール。
【請求項４】
前記変色シートが、接触した足の温度により変色するものである、請求項３に記載のインソール。
【請求項５】
前記変色シートが、水分の付着により変色する、請求項３に記載のインソール。
【請求項６】
足の裏面の土踏まずの位置を位置決めできる位置決め部を備え、
前記位置決め部には、実際の土踏まずの高さよりも高い、矯正土踏まず高さに土踏まずを調節できる土踏まず高さ調節機構を有し、
前記土踏まず高さ調節機構は、複数のピンからなる土踏まず支持部を有し、
表面に開口が形成された複数の穴部を有し、
前記穴部に、前記ピンを挿入し、当該ピンの高さを調節する、履物であり、
当該履物の内底の最表面には、足の裏面の平面形状のうち、少なくとも土踏まずの部分を、直接転写して可視化する土踏まず決定手段を備える、履物。
【手続補正２】
【補正対象書類名】明細書
【補正対象項目名】００１６
【補正方法】変更
【補正の内容】
【００１６】
［１］  履物に中敷きとして挿入するインソールであって、
足の裏面の土踏まずの位置を位置決めできる位置決め部を備え、
前記位置決め部には、実際の土踏まずの高さよりも高い、矯正土踏まず高さに土踏まずを調節できる土踏まず高さ調節機構を有し、
前記土踏まず高さ調節機構は、前記インソールの厚み方向に沿って脱着可能な土踏まず支持部を有し、
前記土踏まず支持部は、複数のピンからなり、
前記インソールの表面に開口が形成された複数の穴部を有し、
前記穴部に、前記ピンを挿入し、当該ピンの高さを調節する、インソールであり、
当該インソールの最表面には、足の裏面の平面形状のうち、少なくとも土踏まずの部分を、直接転写して可視化する土踏まず決定手段を備える、インソール。
【手続補正３】
【補正対象書類名】明細書
【補正対象項目名】００１７
【補正方法】削除
【補正の内容】
【手続補正４】
【補正対象書類名】明細書
【補正対象項目名】００２６
【補正方法】変更
【補正の内容】
【００２６】
［６］  足の裏面の土踏まずの位置を位置決めできる位置決め部を備え、
前記位置決め部には、実際の土踏まずの高さよりも高い、矯正土踏まず高さに土踏まず
を調節できる土踏まず高さ調節機構を有し、
前記土踏まず高さ調節機構は、複数のピンからなる土踏まず支持部を有し、
表面に開口が形成された複数の穴部を有し、
前記穴部に、前記ピンを挿入し、当該ピンの高さを調節する、履物であり、
当該履物の内底の最表面には、足の裏面の平面形状のうち、少なくとも土踏まずの部分を、直接転写して可視化する土踏まず決定手段を備える、履物。